(57)【要約】【課題】所定の吐水性能を保持しつつ静音性を向上させた水洗便器のリム吐出口構造を提供する。【解決手段】本発明は、水洗便器本体に形成されたリム部１２及びこのリム部に洗浄水を供給するリムノズル２６を有する水洗便器のリム吐出口構造であって、リムノズルから吐出される洗浄水を受け止めるように形成された空間部Ｓと、この空間部の先端側に形成され洗浄水をリム部に吐出するためのリム吐水口２２と、リムノズルの先端側に設けられリムノズルを通る洗浄水と前記空間部の空気とが混合されるように洗浄水を吐出する孔部６０ｄと、この孔部から吐出される洗浄水と残留空気とが混合されるように孔部から吐出される洗浄水が衝突するようになっている空間部の内壁３３、４４と、を有し、洗浄水は内壁に衝突した後にリム吐水口から吐出される。【選択図】図１
2008303616.tif 000002
【特許請求の範囲】
【請求項１】
水洗便器本体に形成されたリム部及びこのリム部に洗浄水を供給するリムノズルを有する水洗便器のリム吐出口構造であって、
上記リムノズルから吐出される洗浄水を受け止めるように形成された空間部と、
この空間部の先端側に形成され洗浄水を上記リム部に吐出するためのリム吐水口と、
上記リムノズルの先端側に設けられ上記リムノズルを通る洗浄水と前記空間部の空気とが混合されるように洗浄水を吐出する孔部と、
この孔部から吐出される洗浄水と前記空間部の空気とが混合されるように上記孔部から吐出される洗浄水が衝突するようになっている上記空間部の内壁と、を有し、
洗浄水は上記内壁に衝突した後に上記リム吐水口から吐出されることを特徴とする水洗便器のリム吐出口構造。
【請求項２】
上記孔部は、上記リムノズルの通水路の径よりも小さな径の孔部が複数設けられたものである請求項１に記載の水洗便器のリム吐出口構造。
【請求項３】
上記複数の孔部は、上記リムノズルの先端側に取り付けられたキャップに形成されている請求項２に記載の水洗便器のリム吐出口構造。
【請求項４】
上記リムノズルの軸線の延長線上に上記空間部の内壁が存在するように上記リムノズルの角度及び上記空間部の形状が規定されている請求項１乃至３のいずれか１項に記載の水洗便器のリム吐出口構造。
【請求項５】
上記空間部は、その空間の断面積がリム吐水口に近いほど小さくなるように形成されている請求項１乃至４のいずれか１項に記載の水洗便器のリム吐出口構造。
【請求項６】
上記空間部の内壁は、複数の壁部で形成され、
上記リムノズルは上記複数の壁部のうち少なくとも１つに取り付けられ、上記孔部から吐出される洗浄水が上記複数の壁部のうち少なくとも１つに衝突するように上記リムノズルの角度及び上記複数の壁部の配置が規定されている請求項１乃至５のいずれか１項に記載の水洗便器のリム吐出口構造。
【発明の詳細な説明】
【技術分野】
【０００１】
本発明は、水洗便器のリム吐出口構造に係り、特に、水洗便器本体に形成されたリム部及びこのリム部に洗浄水を供給するリムノズルを有する水洗便器のリム吐出口構造に関する。
【背景技術】
【０００２】
従来、特許文献１のように、水洗便器本体のリム部に洗浄水を流して便器を洗浄すると共に汚物を流すようにすることが知られている。この特許文献１に開示された水洗便器によれば、図９に示すように、洗浄水を吐出する洗浄水ノズル１００の出口側に空間Ｓを設け、この空間Ｓ内に洗浄水を一時的に滞留させ、その空間Ｓの出口である陶器吐水口１０２に水圧を加えることにより、吐水口１０２から吐出される洗浄水の整流化等を行うようにしている。この特許文献１に記載の水洗便器では、リム吐水用の洗浄水ノズルの手前に空気取入部を設けることにより、エジェクタ効果により空気を吸気して、気泡を含んだ洗浄水をリム吐水の洗浄水として流して、水跳ねや騒音が少なくなるようにしている。
【０００３】
【特許文献１】特開２００４−１５６３０８号公報
【発明の開示】
【発明が解決しようとする課題】
【０００４】
しかしながら、上述した特許文献１の水洗便器では、リム吐水用の洗浄水ノズルの手前に空気取入部を設けることにより部品点数が増えてコストが増大するという問題があった。さらに、そのような空気取入部の固定収納スペースの確保が出来ないレイアウトには適用できないという不具合があった。そこで、本発明者らは、空気取入部を設けないリム吐水を実現すべく研究を重ねた。
【０００５】
ここで、特許文献１に開示されているようにノズル先端部とリム吐水口との間に所定の空間部（陶器による導水路）を設ける場合、陶器の吐水口に一定の水圧をかける必要があり、そのような水圧によりリム吐水の洗浄水が便器のリム部のほぼ全周にわたって供給されるのである。そのためには、空間部により早く洗浄水を充満させつつ早期にリム吐水口に水圧をかけたい、という要望がある。
【０００６】
しかしながら、早期にリム吐水口に水圧をかけようとすると以下のような問題が生じていた。即ち、空気取入部を設けない場合、空間部に溜まっている空気やノズル手前のホースの空気は、吐水に引きずられてリム吐水口から出るようになるが、このような場合、比較的大きな気泡が混入されながら吐水するので、特にリム吐水による洗浄の初期段階において、例えば「ボンッ」という音や「ポンポンポン」というような空気の炸裂音或いは混じり音が生じたり、大流量では水（しぶき）が飛んでしまうという問題があった。
【０００７】
なお、空間部を設けない場合には、樹脂或いは金属製のリムノズルを陶器導水路の出口に近接して或いは直接設ける必要があるが、この場合は、ノズルによる吐水方向及び旋回方向の所定の精度を得るために、組立時の高い組立精度が求められる。また、排泄物や汚水の付着や、陶器導水路内の衛生も保てない場合があるので現実的ではない。
【０００８】
本発明は、上述した従来技術の問題点を解決するためになされたものであり、所定の吐水性能を保持しつつ静音性を向上させた水洗便器のリム吐出口構造を提供することを目的とする。
【課題を解決するための手段】
【０００９】
上記の目的を達成するために本発明は、水洗便器本体に形成されたリム部及びこのリム部に洗浄水を供給するリムノズルを有する水洗便器のリム吐出口構造であって、リムノズルから吐出される洗浄水を受け止めるように形成された空間部と、この空間部の先端側に形成され洗浄水をリム部に吐出するためのリム吐水口と、リムノズルの先端側に設けられリムノズルを通る洗浄水と前記空間部の空気とが混合されるように洗浄水を吐出する孔部と、この孔部から吐出される洗浄水と残留空気とが混合されるように孔部から吐出される洗浄水が衝突するようになっている空間部の内壁と、を有し、洗浄水は内壁に衝突した後にリム吐水口から吐出されることを特徴としている。
このように構成された本発明においては、孔部から吐出される洗浄水と前記空間部の空気とが混合されるように洗浄水が空間部の内壁に衝突するようになっているので、空気を微細化して洗浄水と共に吐出させることが出来る。従って、これらにより、空気の炸裂音或いは混じり音が生じたり、大流量の場合に水（しぶき）が飛んでしまうようなことを防止することが出来る。その結果、所定の吐水性能を保持しつつ静音性を向上させることが出来る。
【００１０】
また、本発明において、好ましくは、孔部は、リムノズルの通水路の径よりも小さな径の孔部が複数設けられたものである。
このように構成された本発明においては、効果的に洗浄水と前記空間部の空気とを混合させて、空気を微細化して洗浄水と共に吐出させることが出来る。
【００１１】
また、本発明において、好ましくは、複数の孔部は、リムノズルの先端側に取り付けられたキャップに形成されている。
このように構成された本発明においては、簡易な部品で効果的に洗浄水と前記空間部の空気とを混合させて、空気を微細化して洗浄水と共に吐出させることが出来る。
【００１２】
また、本発明において、好ましくは、リムノズルの軸線の延長線上に空間部の内壁が存在するようにリムノズルの角度及び空間部の形状が規定されている。
このように構成された本発明においては、効果的に孔部から吐出される洗浄水を空間部の内壁に衝突させて、空気を微細化して洗浄水と共に吐出させることが出来る。
【００１３】
また、本発明において、好ましくは、空間部は、その空間の断面積がリム吐水口に近いほど小さくなるように形成されている。
このように構成された本発明においては、孔部から吐出される洗浄水を空間部の内壁に衝突させ易くなると共に空間部により早く洗浄水を充満させつつ早期にリム吐水口に水圧をかけることが出来る。
【００１４】
また、本発明において、好ましくは、空間部の内壁は、複数の壁部で形成され、リムノズルは複数の壁部のうち少なくとも１つに取り付けられ、孔部から吐出される洗浄水が複数の壁部のうち少なくとも１つに衝突するようにリムノズルの角度及び複数の壁部の配置が規定されている。
このように構成された本発明においては、より現実的な構成即ち複数の壁部により空間部を形成する構成により、空気を微細化して洗浄水と共に吐出させることが出来る。
【発明の効果】
【００１５】
本発明によれば、所定の吐水性能を保持しつつ静音性を向上させることが出来る。
【発明を実施するための最良の形態】
【００１６】
以下、本発明の実施形態を添付図面を参照して説明する。
先ず、図１により、本発明の実施形態による水洗便器のリム吐出口構造が適用された水洗便器を説明する。図１は、本発明の実施形態による水洗便器の平面図である。
図１に示すように、水洗便器１は、バルブユニット２、このバルブユニット２からリム側へ給水するリム側給水路４、バルブユニット２からタンク６側へ給水するタンク側給水路８を有する。また、水洗便器１は、その本体にボウル部１０及びリム部１２が形成されている。ボウル部１０には、ゼット口１４が形成されており、タンク６から電動ポンプ（図示せず）により給水される。
【００１７】
次に、図２及び図３により、リム吐出口の概略構造を説明する。図２は、図１のIIの部分を拡大して示すリム吐出口を上方から見た断面図であり、図３は、図１のIII-III線に沿って見たリム吐水口の断面図である。
図２及び図３に示すように、リム吐出口２０は、陶器吐水口２２、空間部（陶器導水路）Ｓ、リムノズル取付口２４及びこのリムノズル取付口２４に取り付けられたリムノズル２６を有する。このリムノズル２６には、リム側給水路４が接続されており、洗浄時には、洗浄水が、リム側給水路４、リムノズル２６、空間部Ｓを順に通って、陶器吐水口２２から吐出されるようになっている。
【００１８】
図２に示すように、平面視では、空間Ｓは、外壁部３０、内壁部３２及び後壁部３４で囲まれている。陶器吐水口２２は、内壁部３２の先端部と外壁部の内面とにより形成されている。外壁部３０は、後壁部３４との接続部から手前に向けてほぼ真っ直ぐに延びた後に内方に向けて若干湾曲した形状となっている。これに対し、内壁部３２は、その全体が外壁部３０側に向けて突出し且つ湾曲した形状となっている。さらに、後壁部３４は、平面視で、リムノズル２６を取り付けるために十分な幅を有している。これらのような外壁部３０及び内壁部３２により、空間部Ｓは、平面視で、先端の陶器吐水口２２に向かうにつれて徐々にその幅が小さくなるように形成されている。
【００１９】
後壁部３４は、リムノズル２６が外方に向けて斜めに延びるように、平面視で、外壁部３０に対して傾斜して形成されている。従って、図２の一点鎖線Ａで示すように、リムノズル２６の軸線は、外壁部３０に向けて延びている。即ち、平面視では、リムノズル２６から吐出される洗浄水が外壁部３０に当たるように、リムノズル２６の向きが規定されている。リムノズル２６の先端（後述するリムノズル導水板６０ｃ）から外壁部３０までの、リムノズル２６の軸線Ａに沿った距離は、本実施形態では６０ｍｍとなっている。
【００２０】
次に、図３に示すように、側面視では、空間Ｓは、ほぼ平らに延びる下壁部４０、後壁部３４から先端側に向けてほぼ平らに延びる第１上壁部４２及びこの第１上壁部４２の先端から斜め下方に向けて延びる第２上壁部４４（傾斜面４４）で囲まれており、傾斜面４４の先端部と下壁部４０とにより、ほぼ真っ直ぐに伸びる陶器吐水口２２が形成されている。側面視でも、後壁部３４は、リムノズル２６を取り付けるために十分な高さを有している。これらのような下壁部４０、第１上壁部４２及び傾斜面４４により、空間部Ｓは、先端の陶器吐水口２２に向かうにつれて徐々にその高さが小さくなるように形成されている。傾斜面４４は、後述するリムノズル２６から吐水される洗浄水が衝突して効果的に飛散するように傾斜面の角度は、４５°〜９０°、望ましくは６０°〜８０°に設定する。
【００２１】
側面視では、後壁部３４はほぼ垂直方向に延びており、リムノズル２６が水平方向に延びるように取り付けられている。そして、側面視では、図３の一点鎖線Ｂで示すように、リムノズル２６の軸線は、傾斜面４４に向けて延びている。即ち、側面視では、リムノズル２６から吐出される洗浄水が傾斜面４４に当たるように、リムノズル２６の向きが規定されている。リムノズル２６の先端（後述するリムノズル導水板６０ｃ）から傾斜面４４までの、リムノズル２６の軸線Ｂに沿った距離は、本実施形態では３０ｍｍとなっている。この距離は、水圧が低い状態でも空間内で水と空気との混合が効果的に行えるように１０ｍｍ〜６０ｍｍで設定する。
【００２２】
次に、図４により、リムノズルの概略構造を説明する。図４は、本発明の実施形態によるリムノズル及び陶器導水路（空間）Ｓの断面図である。
図４に示すように、リムノズル２６は、ノズル本体５０と、このノズル本体５０を後壁部３４に取り付けるための取付部材５２、５４、５６と、スペーサ５８と、ノズル本体５０の先端側に取り付けられるノズルキャップ６０により構成されている。ノズル本体５０には、洗浄水が通る導水路５０ａが形成され、取付部材５２、５４、５６には、ノズル本体５０に嵌合するような開口部５２ａ、５４ａ、５６ａが形成されている。
【００２３】
取付時には、後壁部３４の一方の側（空間部Ｓ側）において、後壁部３４とノズル本体５０のフランジ部との間にスペーサ５８が設けられ、次に、後壁部３４の他方の側において、ノズル本体５０に取り付け部材５２、５４、５６が嵌合されると共に取り付け部材５６が後壁部３４の開口部に嵌められて、ノズル本体５０が後壁部３４に取り付けられるようになっている。
【００２４】
次に、図４乃至図７により、リムノズルのノズルキャップ６０の構造を説明する。図５は、本発明の実施形態によるリムノズルのノズルキャップの側面図であり、図６は、図５の矢印VIで示す方向から見たリムノズルのノズルキャップの背面図であり、図７は、図５の矢印VIIで示す方向から見たリムノズルのノズルキャップの正面図である。なお、図４に示すリムノズルのノズルキャップは、図５のIV-IV線に沿ってみた断面図となっている。
【００２５】
先ず、図４に示すように、ノズルキャップ６０には、洗浄水が通る導水路６０ａが形成され、この導水路６０ａの内径は、本実施形態では１７．８ｍｍとなっている。ノズルキャップ６０の基端側、即ち、後壁部３４への取付側には、本実施形態では径２０ｍｍの雌ねじ６０ｂが形成されており、この雌ねじ６０ｂがノズル本体５０の先端側に形成された本実施形態では径２０ｍｍの雄ねじ５０ｂに螺合するようになっている。そして、図５及び図６に示すように、ノズルキャップの基端側、即ち、後壁部３４への取付側では、この螺合の緩み防止用凹形状６０ｆが形成されている。ノズルキャップ６０は、本実施形態では、その外径が２４ｍｍ、その軸線方向長さが２５ｍｍとなっている。
【００２６】
図４に示すように、ノズルキャップ６０の先端側、即ち、空間部Ｓ側には、導水板６０ｃが形成されている。この導水板６０ｃは、本実施形態では厚さ３ｍｍに形成されている。図４及び図７に示すように、この導水板６０ｃには、本実施形態では９つのノズルキャップ吐水口（孔部）６０ｄが形成されている。図７に示すように、各ノズルキャップ吐水口６０ｄは、円形の導水板６０ｃの中心に先ず１つめの吐水口６０ｄが形成され、残りの８つの吐水口６０ｄがこの中心の吐水口６０ｄの周りに形成されている。
これらの８つのノズルキャップ吐出口６０ｄは、本実施形態では、直径１３．６ｍｍの円弧上に互いに４５度づつの角度をなして形成されている。
【００２７】
次に、図５及び図７に示すように、導水板６０ｃの空間部Ｓ側の表面には、各ノズルキャップ吐出口６０ｄを連結するような矩形状の複数の溝６０ｅが形成されている。溝６０ｅは、中心のノズルキャップ吐出口６０ｄから放射状に互いに４５度の角度で延びると共に周りの８つのノズルキャップ吐出口６０ｄを通って延びている。これらの溝６０ｅは、本実施形態では、幅１．２ｍｍ、深さ０．６ｍｍとなっている。これらの溝６０ｅは、ノズルキャップ吐水口６０ｄに表面張力によって付着する水を排出する効果を有するものであり、特に、寒冷地での凍結を防止できるものである。
ここで、ノズルキャップ６０の使用条件を説明する。バルブユニットに導入される水道水等の最低水圧条件が、０．０３ＭＰａの際に、内径がほぼ３．５ｍｍの各ノズルキャップ吐水口６０ｄの９個から吐水される洗浄流量が８Ｌ/ｍｉｎとなるように設定することで、空気を空間部内で撹拌させることができるようにしている。
【００２８】
次に、図８により本実施形態の作用効果を説明する。図８は、図４と同様に示すリムノズル及び陶器導水路（空間）Ｓの断面図に、洗浄水及び空気の様子を模式的に示したものである。
本実施形態では、ノズルキャップ導水板６０ｃに、比較的小さい孔（本実施形態ではφ３．５程度）のノズルキャップ吐出口６０ｄを複数設けている。従って、図８に模式的に示すように、導水路６０ａを通る洗浄水Ｗｒ１が、複数に分かれて流れることになり、陶器導水路（空間部）Ｓやリム側給水路４に溜まった空気Ａｉｒ１が、それらの複数の水流に巻き込まれ易くなり、そして、微細気泡化するようになる。
【００２９】
ここで、上述したように、リムノズル２６から吐出される洗浄水は、外壁部３０及び傾斜面４４に当たるように、リムノズル２６の向きが規定されている。従って、外壁部３０及び傾斜面４４に衝突した水流Ｗｒ２は、さらに、陶器導水路（空間部）Ｓに溜まった空気を攪拌し、図８に模式的に示すように、空気Ａｉｒ２を微細気泡化するようになる。
そして、微細気泡化した空気が混入した洗浄水Ｗｒ３は、陶器吐水口２２を経由してリム部１２に吐出されるが、洗浄水Ｗｒ３には微細気泡化した空気が混入しているので、比較的大きな気泡が混入することによる空気の炸裂音或いは空気の混じり音が生じたり、大流量では空気の破裂による水（しぶき）が飛んでしまう、ということが無くなるのである。
【図面の簡単な説明】
【００３０】
【図１】本発明の実施形態による水洗便器の平面図である。
【図２】図１のIIの部分を拡大して示すリム吐出口を上方から見た断面図である。
【図３】図１のIII-III線に沿って見たリム吐水口の断面図である。
【図４】本発明の実施形態によるリムノズル及び陶器導水路（空間）の断面図である。また、リムノズルは図５のIV-IV線に沿ってみた断面図となっている。
【図５】本発明の実施形態によるリムノズルのノズルキャップの側面図である。
【図６】図５の矢印VIで示す方向から見たリムノズルのノズルキャップの背面図である。
【図７】図５の矢印VIIで示す方向から見たリムノズルのノズルキャップの正面図である。
【図８】図４と同様に示すリムノズル及び陶器導水路（空間）Ｓの断面図に、洗浄水及び空気の様子を模式的に示したものである。
【図９】従来技術によるリム吐水口構造を示す断面図である。
【符号の説明】
【００３１】
１  水洗便器
４  リム側給水路
１２  リム部
２０  リム吐水口
２２  陶器吐水口
３０  外壁部
３２  内壁部
３４  後壁部
４０  下壁部
４２  第１上壁部
４４  第２上壁部（傾斜面）
５０  ノズル本体
６０  ノズルキャップ
６０ａ  導水路
６０ｃ  導水板
６０ｄ  ノズルキャップ吐水口
６０ｅ  溝
Ｓ  空間部（陶器導水路）
【図１】
2008303616.tif 000003
【図２】
2008303616.tif 000004
【図３】
2008303616.tif 000005
【図４】
2008303616.tif 000006
【図５】
2008303616.tif 000007
【図６】
2008303616.tif 000008
【図７】
2008303616.tif 000009
【図８】
2008303616.tif 000010
【図９】
2008303616.tif 000011